(57)【要約】【課題】  空調対象空間内の空気中に存在する細菌類の除去性をより向上させることができるようにする。【解決手段】  空調装置２により空調対象空間１に空気を排気する排気路６と、空調装置２により空調対象空間１から空気を吸気する吸気路４とを備え、空調装置２に吸気される空気に対して二酸化塩素を供給する二酸化塩素供給部１０を、吸気路４に設けてある空調設備Ａ。【選択図】        図１
2005172315.tif 000002
【特許請求の範囲】
【請求項１】
空調装置により空調対象空間に空気を排気する排気路と、前記空調装置により前記空調対象空間から空気を吸気する吸気路とを備え、
前記空調装置に吸気される空気に対して二酸化塩素を供給する二酸化塩素供給部を、前記吸気路に設けてある空調設備。
【請求項２】
前記吸気路と排気路が、前記空調装置を介して連通され、前記吸気路の前記二酸化塩素供給部よりも前記空調装置側に、エアフィルタを設けてある請求項１記載の空調設備。
【請求項３】
前記二酸化塩素供給部から供給する二酸化塩素が、二酸化塩素ガスか、または、二酸化塩素ガスと亜塩素酸イオンのいずれか一方または両方を溶存する水溶液からの二酸化塩素ガスである請求項１または２記載の空調設備。
【発明の詳細な説明】
【技術分野】
【０００１】
本発明は、空調設備に関し、より具体的には、冷暖房などの温度調整設備、湿度調整設備、換気設備、空気循環設備、または、空気洗浄設備等の各種設備や、これらの設備を複数共有する各種の空調設備に関する。
【背景技術】
【０００２】
近年、例えば、Ｏ−１５７等による食中毒や、ＭＲＳＡ等による院内感染などの発生を防止すべく、食品類の製造や加工を行う食品加工工場や病院等の建物では、建物内における衛生管理が厳重に行われるようになってきている。
ところで、建物内の空気中には、微生物の細菌・カビや酵母菌などの真菌類等（以下、細菌類と総称する）が多く浮遊し存在しており、また、この細菌類は、同じく空気中に浮遊する微小な塵埃に付着し存在していることもあり、このような空気中に存在する細菌類を如何に除去するかが、建物内における衛生管理では重要となる。
しかしながら、これら空気中に存在する細菌類は、建物に備えられる空調設備のエアフィルタのみでは充分には除去し難く、これら空気中に存在する細菌類の効果的な除去策が望まれている。
【０００３】
そこで、従来では、空調設備とは別に、前記空気中に存在する細菌類を殺菌できるオゾン等の殺菌剤を空気中に吹き出し供給する空気清浄機を、建物内に設置することで、建物内に存在する細菌類の除去や、その増加の抑制を図ることが提案されている。
【発明の開示】
【発明が解決しようとする課題】
【０００４】
しかしながら、このような空気清浄機から建物内の空気に対して殺菌剤を吹き出し供給する従来技術では、殺菌剤が空気清浄機の吹出口近くにおいて供給されるため、細菌類を含んだ空気は、いったん空気清浄機内に吸引されることになる。したがって、細菌類が空気清浄機内に付着して繁殖するおそれがあり、空気清浄機内で細菌類が繁殖すると、所期の目的である空気清浄機能が阻害されるおそれがある。
さらに、清浄対象空間が建物内における室全体に及ぶような場合には、対象室内における殺菌剤の濃度分布にばらつきが生じ易いという不具合があり、このため、対象室内全体において、空気中に存在する細菌類を除去するには効率が悪く、新たな対応策の登場が望まれている。
【０００５】
本発明は、上記実情に鑑みてなされたものであって、その目的は、空調対象空間内の空気中に存在する細菌類の除去性をより向上させることができる空調設備を提供するところにある。
【課題を解決するための手段】
【０００６】
本発明の第１の特徴構成は、空調装置により空調対象空間に空気を排気する排気路と、前記空調装置により前記空調対象空間から空気を吸気する吸気路とを備え、
前記空調装置に吸気される空気に対して二酸化塩素を供給する二酸化塩素供給部を、前記吸気路に設けてある空調設備であるところにある。
【０００７】
〔作用効果〕
本特徴構成を備える空調設備によれば、空調対象空間内の空気が、吸気路より空調装置に吸引され、そして、排気路から空調対象空間内に排気されることで、空調対象空間内の空気が入れ替わる。
そして、吸気路に設けてある二酸化塩素供給部からは、空調装置に吸気される空気に対して、二酸化塩素が供給されるため、空調装置内が二酸化塩素（ＣｌＯ2）の酸化作用により殺菌されて、空調装置内における細菌類の繁殖が抑制されるとともに、その殺菌後の空気を空調対象空間内に導入することによって、空調対象空間内に供給される空気にも二酸化塩素が含有され、空調対象空間内においても、細菌類の殺菌や増殖の抑制が行われて、細菌類の除去性をより向上させることができるようになる。
【０００８】
本発明の第２の特徴構成は、上記第１の特徴構成に加えて、  前記吸気路と排気路が、前記空調装置を介して連通され、前記吸気路の前記二酸化塩素供給部よりも前記空調装置側に、エアフィルタを設けてあるところにある。
【０００９】
〔作用効果〕
本特徴構成によれば、吸気路と排気路が、空調装置を介して連通されているので、二酸化塩素により殺菌された空気が、空調対象空間内に確実に循環されることになる。
すなわち、排気路より空調対象空間内に排気される空気にも二酸化塩素が確実に含有されて、空調対象空間内に循環されるので、空調対象空間内の空気における二酸化塩素の濃度分布が比較的全体に均一と成り易く、その結果、空調対象空間内の空気中に含まれる二酸化塩素により、細菌類の殺菌や増殖の抑制が行われるようにもなる。
従って、空調対象空間内の空気中に存在する細菌類の除去性をより向上させることができるようになる。
そして、前記吸気路の二酸化塩素供給部よりも空調装置側に、エアフィルタを設けてあるので、二酸化塩素供給部より供給される二酸化塩素が、吸気路内の空気の流れにより間接的に、或いは、直接的に、エアフィルタに供給されることで、二酸化塩素がエアフィルタに吸着や含浸されて、その結果、エアフィルタにて補足される細菌類が二酸化塩素により殺菌されることを期待でき、空調対象空間内の空気中に存在する細菌類の除去性をより一層向上させることができる。
また、このようにエアフィルタにて二酸化塩素により殺菌が行われることで、エアフィルタの管理メンテナンスが軽減されるようにもなる。
尚、二酸化塩素は残留性を有するので、以上のようにしてエアフィルタに吸着や含浸されることで、エアフィルタによる殺菌作用を充分に期待することができる。
【００１０】
本発明の第３の特徴構成は、上記第１または第２の特徴構成に加えて、前記二酸化塩素供給部から供給する二酸化塩素が、二酸化塩素ガスか、または、二酸化塩素ガスと亜塩素酸イオンのいずれか一方または両方を溶存する水溶液からの二酸化塩素ガスであるところにある。
【００１１】
〔作用効果〕
二酸化塩素供給部から供給する二酸化塩素が、二酸化塩素ガスか、または、二酸化塩素ガスと亜塩素酸イオンのいずれか一方または両方を溶存する水溶液からの二酸化塩素ガスであれば，人体への安全性を確保しながら、オゾン並の殺菌効果を期待できる。
【発明を実施するための最良の形態】
【００１２】
以下に本発明の実施の形態を図面に基づいて説明する。
【００１３】
図１に、本発明に係る空調設備の一実施形態の構成図を示す。本実施形態では、一例として、食品加工工場（建物の一例）に本発明に係る空調設備Ａを備えさせてあり、食品加工工場における、食材保管室、下処理室、洗浄室、盛り付け配膳室等からなる処理室（空調対象空間の一例）１の空気が、空調装置２を介して循環され、空調されるように構成してある。尚、図１には、便宜上、前記処理室１が、第一処理室１ａと第二処理室１ｂと第三処理室１ｃからなるものを例示してある。
【００１４】
前記空調設備Ａは、図１に示すように、処理室１の空気を、吸込口３より吸引して空調装置２へ導入する吸気ダクト（吸気路に相当）４と、前記吸気ダクト４から空調装置２へ導入される前記空気を、空調装置２を介して処理室１内に吹出口５より排出する排気ダクト（排気路に相当）６とを備えており、前記吸気ダクト４に、二酸化塩素供給部１０を設けて、構成される。
【００１５】
本実施形態では、図１に示すように前記吸気ダクト４及び前記排気ダクト６は次のように構成されている。
吸気ダクト４は、空調装置２に接続される吸気側主ダクト４ａに複数の吸気側分岐ダクト４ｂが分岐接続され、それら吸気側分岐ダクト４ｂ各々が、第一処理室１ａ、第二処理室１ｂ、第三処理室１ｃに接続されて、構成されている。尚、吸気側分岐ダクト４ｂ各々と各処理室１ａ，１ｂ，１ｃとの接続箇所が、吸込口３となる。
同様に、排気ダクト６は、空調装置２に接続される排気側主ダクト６ａに複数の排気側分岐ダクト６ｂが分岐接続され、それら排気側分岐ダクト６ｂ各々が、第一処理室１ａ、第二処理室１ｂ、第三処理室１ｃに接続されて、構成されている。尚、排気側分岐ダクト６ｂ各々と各処理室１ａ，１ｂ，１ｃとの接続箇所が、吹出口５となる。
尚、本実施形態では、吸込口３と吹出口５とがほぼ対面配置される構成を例示してあるが、本発明はこのような構成に限定されるものではない。
【００１６】
そして、前記二酸化塩素供給部としての噴霧ノズル１０を、前記吸気側分岐ダクト４ｂ各々の吸込口３近傍に配設し、吸込口３より吸引され空調装置２へ導入される空気に対して、噴霧ノズル１０より二酸化塩素水溶液を噴霧供給するように構成してある。
【００１７】
具体的には、図１に例示するように、二酸化塩素ガスと亜塩素酸イオンのいずれか一方または両方を溶存する二酸化塩素水溶液を貯留してある二酸化塩素水溶液タンク２１より、液送ポンプ２２により前記噴霧ノズル１０各々に、二酸化塩素水溶液を供給可能に設け、また、コンプレッサー２３より電磁弁２４を介して前記噴霧ノズル１０各々に、圧縮空気を供給可能に設け、前記液送ポンプ２２及び前記電磁弁２４を制御部２５により制御することで、二酸化塩素水溶液の供給や圧縮空気の供給を制御して、噴霧ノズル１０各々より、連続的或いは間欠的に二酸化塩素水溶液が噴霧供給されるように構成してある。
【００１８】
また、本明細書において、「二酸化塩素水溶液」とは、二酸化塩素（ＣｌＯ2）が溶存している水溶液を広く意味し、上述した二酸化塩素ガスと亜塩素酸イオンのいずれか一方または両方を溶存する水溶液以外にも、前記二酸化塩素水溶液タンク２１には、例えば、溶存二酸化塩素ガスと亜塩素酸塩と酸性に保つｐＨ調整剤或いは酸性を示す界面活性剤とを有する純粋二酸化塩素水溶液（例えば、特許第３１１０７２４号公報参照）や、二酸化塩素ガスを過酸化炭酸ナトリウム（Ｎａ2Ｃ2Ｏ5）又は過酸化炭酸リチウム（Ｌｉ2Ｃ2Ｏ5）の水溶液に溶解させて得られる亜塩素酸ナトリウム（ＮａＣｌＯ2）又は亜塩素酸リチウム（ＬｉＣｌＯ2）を主成分とするｐＨ９に保持したいわゆる安定化二酸化塩素水溶液などを貯留しておけばよい。
【００１９】
そして、本実施形態では、図１に示すように、吸気側分岐ダクト４ｂ（吸気ダクト４）のうち、噴射ノズル１０近傍の、噴射ノズル１０よりも空調装置２側（つまり、空調装置２への空気の導入方向の上手側）に、エアフィルタ１６を、その厚み方向が空気の吸引方向に沿うように配設してある。尚、前記エアフィルタ１６は、不織布や合成樹脂繊維やガラス繊維や金属材料等からなる任意の材質のろ材を有するものを用いればよい。
【００２０】
このため、噴霧ノズル１０より供給される二酸化塩素水溶液が、吸気側分岐ダクト４ｂにて吸引される空気の流れにより間接的に、或いは、直接的に、エアフィルタ１６に供給されることで、二酸化塩素がエアフィルタに吸着や含浸されて、その結果、エアフィルタ１６にて補足される細菌類が二酸化塩素により殺菌されることを期待できる。
【００２１】
尚、このようにして吸気ダクト４にて二酸化塩素により殺菌された空気は、空調装置２にて空調され、排気ダクト６の吹出口５より処理室１内に循環供給されるが、吹出口５より循環供給される空気にも二酸化塩素が含有されており、結果、処理室１内では、二酸化塩素（ＣｌＯ2）の濃度が０．１ｐｐｍとなるようにしてあり、処理室１においても空気中に存在する細菌類が効果的に殺菌されるのである。
ただし、処理室１内の二酸化塩素の濃度は、処理室１の使用条件等により調整可能であり、所期の目的である殺菌効果以外にも、室内部品に対する腐食性や人体への影響を考慮すると、０．３ｐｐｍ（０．８４ｍｇ／ｍ3）以下が好ましく、さらに、処理室１が長期就労空間であれば、０．１ｐｐｍ（０．２８ｍｇ／ｍ3）以下に設定するのが好ましい。したがって、処理室１内における二酸化塩素の濃度が所望する濃度になるように、タンク２１内の二酸化塩素水溶液の濃度又は液送ポンプ２２の流量を設定することになる。
尚、図中２０は、外気導入用のファンであり、このファン２０の吸込口にも、上述したのと同様なエアフィルタ１６が配設してあり、かつ、噴霧ノズル１０も設けてある。
【００２２】
〔別実施形態〕
以下に他の実施形態を説明する。
〈１〉  先の実施形態では、二酸化塩素供給部１０より二酸化塩素水溶液を噴霧供給する例について説明したが、そのようなものに限らず、二酸化塩素供給部１０は、前記空調装置２に吸引される前記空気に対して、二酸化塩素ガスと二酸化塩素水溶液のうちの少なくとも一方を供給可能に構成してあればよく、例えば、二酸化塩素水溶液製造装置や二酸化塩素ガス製造装置を、二酸化塩素供給部１０に接続してあってもよい。
〈２〉  本発明に係る空調設備Ａは、先の実施形態で説明した食品加工工場に限らず、病院、医薬品や化粧品等の製造工場、レストランの厨房、老人ホーム、クリーンルーム、自動車、トイレ、家庭の室内等に設けてもよい。
また、本発明は、冷暖房用の温度調整設備のみならず、湿度調整設備、換気設備、空気循環設備、空気洗浄設備等の各種設備をはじめとして、これらの設備を複数共有する空調設備にも適用可能であり、本明細書においては、それら全てを含めて「空調設備」と総称する。
【図面の簡単な説明】
【００２３】
【図１】本発明に係る空調設備の一実施形態を示す構成図
【符号の説明】
【００２４】
Ａ                空調設備
１                空調対象空間
２                空調装置
４，４ａ，４ｂ    吸気路
６，６ａ，６ｂ    排気路
１０              二酸化塩素供給部
１６              エアフィルタ
【図１】
2005172315.tif 000003